(57)【特許請求の範囲】
【請求項１】
未印字データを通帳へ印字するＡＴＭであって、
前記通帳における印字可能な残り行数を算出する算出部と、
ホストコンピュータで管理された前記未印字データの件数が、算出された前記残り行数に収まるか否かを判断する判断部と、
前記未印字データを所定の印字内容で印字する際に必要な印字行数を決定する決定部と、
前記残り行数に収まらない場合、前記残り行数と決定された前記印字行数の比較結果に応じた前記未印字データのまとめ印字方法を表示部に表示する表示制御部と、
表示された前記未印字データのまとめ印字方法の選択に応じて、前記未印字データの印字を実施する印字部とを、
備えることを特徴とするＡＴＭ。
【請求項２】
前記算出部は、前記通帳の磁気ストライプに記録された情報を読み取ることによって前記残り行数を算出することを特徴とする請求項１に記載のＡＴＭ。
【請求項３】
前記判断部は、前記磁気ストライプに、前記未印字データのまとめ印字方法の表示をユーザが希望する旨の情報が記録されているか否かを判断し、
前記表示制御部は、希望する旨の情報が記録されている場合に、前記未印字データのまとめ印字方法を前記表示部に表示することを特徴とする請求項２に記載のＡＴＭ。
【請求項４】
前記所定の印字内容は、取引種別ごとに取引金額の合計値を印字する印字内容、及び最も多い取引種別を印字する印字内容であることを特徴とする請求項１から３のいずれか１つに記載のＡＴＭ。
【請求項５】
未印字データを通帳へ印字するＡＴＭにおける前記未印字データのまとめ印字処理方法であって、
前記通帳における印字可能な残り行数を算出するステップと、
ホストコンピュータで管理された前記未印字データの件数が、算出された前記残り行数に収まるか否かを判断するステップと、
前記未印字データを所定の印字内容で印字する際に必要な印字行数を決定するステップと、
前記残り行数に収まらない場合、前記残り行数と決定された前記印字行数の比較結果に応じた前記未印字データのまとめ印字方法を表示部に表示するステップと、
表示された前記未印字データのまとめ印字方法の選択に応じて、前記未印字データの印字を実施するステップとを、
有することを特徴とする未印字データのまとめ印字処理方法。
【請求項６】
未印字データを通帳へ印字するＡＴＭにおける前記未印字データのまとめ印字処理プログラムであって、
前記通帳における印字可能な残り行数を算出するステップと、
ホストコンピュータで管理された前記未印字データの件数が、算出された前記残り行数に収まるか否かを判断するステップと、
前記未印字データを所定の印字内容で印字する際に必要な印字行数を決定するステップと、
前記残り行数に収まらない場合、前記残り行数と決定された前記印字行数の比較結果に応じた前記未印字データのまとめ印字方法を表示部に表示するステップと、
表示された前記未印字データのまとめ印字方法の選択に応じて、前記未印字データの印字を実施するステップとを、
コンピュータに実行させることを特徴とする未印字データのまとめ印字処理プログラム。
【発明の詳細な説明】
【技術分野】
【０００１】
本発明は、通帳へ未印字データを印字するＡＴＭに関する。
【背景技術】
【０００２】
従来から、通帳への印字機能を有する自動取引装置（ＡＴＭ：Automated Teller Machine）が金融機関の店舗内外に設置されている。このような印字機能を有するＡＴＭの一例が下記の特許文献１に開示されている。ＡＴＭにおいて通帳を用いた取引を行う場合、ＡＴＭはホストコンピュータと通信し、ホストコンピュータで管理されている未印字の取引データ（以下、未印字データとも言う）があれば取得し、取得した未印字データを通帳へ印字する。このとき、ホストコンピュータで管理されている未印字データの件数が通帳の残行数を超える場合には、ＡＴＭは繰り越し処理を行い、新規通帳の発行を行う。ＡＴＭに新規通帳の発行機能が備わっていない場合には、金融機関の窓口で新規通帳を発行することになる。
【先行技術文献】
【特許文献】
【０００３】
【特許文献１】特開２００４−２６４９５５号公報
【発明の概要】
【発明が解決しようとする課題】
【０００４】
ここで、発行される通帳媒体は金融機関にとっては経費となる。そのため、新規通帳の発行が増えると、経費が増加してしまうという問題があった。また、窓口で新規通帳の発行を行う場合には、行員による新規通帳の発行業務が発生するため、新規通帳の発行が増えれば、窓口における行員の負担も増えてしまうという問題があった。
【０００５】
本発明は、上記課題に鑑み、新規通帳の発行による経費を削減でき、更に新規通帳の発行手続きによる負担を削減できるＡＴＭを提供することを目的とする。
【課題を解決するための手段】
【０００６】
上記目的を達成するために、本発明は、未印字データを通帳へ印字するＡＴＭであって、前記通帳における印字可能な残り行数を算出する算出部と、ホストコンピュータで管理された前記未印字データの件数が、算出された前記残り行数に収まるか否かを判断する判断部と、前記未印字データを所定の印字内容で印字する際に必要な印字行数を決定する決定部と、前記残り行数に収まらない場合、前記残り行数と決定された前記印字行数の比較結果に応じた前記未印字データのまとめ印字方法を表示部に表示する表示制御部と、表示された前記未印字データのまとめ印字方法の選択に応じて、前記未印字データの印字を実施する印字部とを備えることを特徴とする。
【０００７】
また、本発明のＡＴＭにおいて、前記算出部が、前記通帳の磁気ストライプに記録された情報を読み取ることによって前記残り行数を算出することは、好ましい態様である。
【０００８】
また、本発明のＡＴＭにおいて、前記判断部が、前記磁気ストライプに、前記未印字データのまとめ印字方法の表示をユーザが希望する旨の情報が記録されているか否かを判断し、前記表示制御部が、希望する旨の情報が記録されている場合に、前記未印字データのまとめ印字方法を前記表示部に表示することは、好ましい態様である。
【０００９】
また、本発明のＡＴＭにおいて、前記所定の印字内容が、取引種別ごとに取引金額の合計値を印字する印字内容、及び最も多い取引種別を印字する印字内容であることは、好ましい態様である。
【００１０】
また、本発明は、未印字データを通帳へ印字するＡＴＭにおける前記未印字データのまとめ印字処理方法であって、前記通帳における印字可能な残り行数を算出するステップと、ホストコンピュータで管理された前記未印字データの件数が、算出された前記残り行数に収まるか否かを判断するステップと、前記未印字データを所定の印字内容で印字する際に必要な印字行数を決定するステップと、前記残り行数に収まらない場合、前記残り行数と決定された前記印字行数の比較結果に応じた前記未印字データのまとめ印字方法を表示部に表示するステップと、表示された前記未印字データのまとめ印字方法の選択に応じて、前記未印字データの印字を実施するステップとを有することを特徴とする。
【００１１】
また、本発明は、未印字データを通帳へ印字するＡＴＭにおける前記未印字データのまとめ印字処理プログラムであって、前記通帳における印字可能な残り行数を算出するステップと、ホストコンピュータで管理された前記未印字データの件数が、算出された前記残り行数に収まるか否かを判断するステップと、前記未印字データを所定の印字内容で印字する際に必要な印字行数を決定するステップと、前記残り行数に収まらない場合、前記残り行数と決定された前記印字行数の比較結果に応じた前記未印字データのまとめ印字方法を表示部に表示するステップと、表示された前記未印字データのまとめ印字方法の選択に応じて、前記未印字データの印字を実施するステップとをコンピュータに実行させることを特徴とする。
【発明の効果】
【００１２】
本発明によれば、新規通帳の発行による経費を削減でき、更に新規通帳の発行手続きによる負担を削減できる。
【図面の簡単な説明】
【００１３】
【図１】実施の形態における自動取引システムの構成の一例を示す構成図である。
【図２】実施の形態に係るＡＴＭの機能構成の一例を示す構成図である。
【図３Ａ】実施の形態における未印字データのブロック構成の一例を示す図である。
【図３Ｂ】実施の形態における未印字データ件数２件の場合のブロック構成の一例を示す図である。
【図３Ｃ】実施の形態における未印字データ件数ｎ件の場合のブロック構成の一例を示す図である。
【図４Ａ】実施の形態におけるまとめ印字方法選択画面の一例を示す図である。
【図４Ｂ】実施の形態におけるまとめ印字イメージ表示画面（取引ごとの合計印字）の一例を示す図である。
【図４Ｃ】実施の形態におけるまとめ印字イメージ表示画面（選択された取引のみ抽出して印字）の一例を示す図である。
【図４Ｄ】実施の形態におけるまとめ印字イメージ表示画面（最新データから遡って印字）の一例を示す図である。
【図４Ｅ】実施の形態におけるまとめ印字イメージ表示画面（最新の一行のみ印字）の一例を示す図である。
【図５】実施の形態に係るＡＴＭを実現するためのハードウェア構成の一例を示す図である。
【図６】実施の形態における自動取引システムの処理シーケンスの一例について示すシーケンスチャートである。
【図７】実施の形態に係るＡＴＭにおけるまとめ印字の処理フローの一例を示すフローチャートである。
【発明を実施するための形態】
【００１４】
以下、実施の形態について図面を参照して説明する。まず、実施の形態における自動取引システムの一例について図１を用いて説明する。自動取引システム１は、ＡＴＭ２（２ａ、２ｂ、２ｃ）とホストコンピュータ３から構成されており、ＡＴＭ２とホストコンピュータ３は、ネットワーク４を介して、相互に通信可能に接続されている。ＡＴＭ２は、ユーザからの要求に応じて預入、払戻、振込などの取引を実行する機能以外に、後述するまとめ印字機能を有する。まとめ印字機能の詳細については後述する。ホストコンピュータ３は、ＡＴＭ２における取引を管理するものであり、例えば、後述するように、ＡＴＭ２からの未印字データ（未印字となっている取引データ）の送信要求に応じて該当する未印字データをＡＴＭ２へ送信する。
【００１５】
次に、実施の形態に係るＡＴＭの機能構成の一例について図２を用いて説明する。ＡＴＭ２は、通帳受付部２０、算出部２１、印字データ要求部２２、判断部２３、決定部２４、表示制御部２５、印字部２６、格納部２７から構成されている。なお、ＡＴＭ２は、上記構成要素以外に、預入、払戻、振込などの取引を実行するための構成要素を含むが、ここでは省略する。
【００１６】
通帳受付部２０は、ユーザが通帳を用いた取引を行う場合、ユーザによって不図示の通帳挿入口に挿入される通帳を受け付け、ＡＴＭ２内の所定の位置、例えば通帳の磁気ストライプ（ＭＳ: Magnetic Stripe）に記録された情報を読み取らせることが可能な位置まで通帳を吸入する。
【００１７】
算出部２１は、挿入された通帳における印字可能な残り行数（残行数）を算出する。具体的には、算出部２１は、ＭＳに記録された情報を読み取らせる位置まで通帳が吸入されると、ＭＳに記録された情報を読み取って、印字可能な残行数を算出する。ＭＳに記録された情報とは、例えば、通帳において最後に印字されている取引の通帳上の行番号や、通帳において最後に印字されている取引の通帳上の次の行番号や、通帳における印字可能な残行数などである。この情報は、通帳を用いた取引が行われ、通帳への印字が完了した際にＭＳに記録される。なお、残行数の算出は、上述した通帳のＭＳに記録された情報を読み取る方法以外に、不図示の光学行検出部によって光学行を読み取る方法であってもよく、また両者を組み合わせてもよい。
【００１８】
印字データ要求部２２は、挿入された通帳における未印字データの送信要求（通帳記入要求電文）をホストコンピュータ３に対して送信するとともに、送信要求に応じてホストコンピュータ３から送信される応答（未印字データを含む通帳記入応答電文）を受信する。印字データ要求部２２は、送信要求を送信する際、口座番号情報などの情報も送信する。これにより、ホストコンピュータ３は、送信要求に含まれる口座番号などに該当する口座の未印字データを不図示のデータベースなどから取得し、印字データ要求部２２へ送信することができる。
【００１９】
判断部２３は、ホストコンピュータ３から印字データ要求部２２へ送信された未印字データの件数が、算出された残行数に収まるか否かを判断する。具体的には、判断部２３は、未印字データの件数（例えば、５件）を抽出し、抽出された件数と残行数（例えば、３行）とを比較し、未印字データの件数が残行数に収まるか否かを判断する。未印字データ１件を印字するのに通帳上では１行必要であるため、この例の場合、未印字データの件数が５件であり、残行数が３行であるため、未印字データ５件を残行数３行に収めることができないと判断部２３によって判断される。
【００２０】
ここで、ホストコンピュータ３から送信される未印字データのブロック構成の一例について図３Ａ〜図３Ｃを用いて説明する。図３Ａに示すように、未印字データ（通帳印字データ）は、１行分の未印字データブロックとして設定される。１行分の未印字データブロックは、印字データ開始記号と通帳印字データから構成されている。通帳印字データは、例えば取引種別と取引額の情報から構成されている。図３Ｂには、未印字データ件数が２件の場合のブロック構成が示され、図３Ｃには、未印字データ件数がｎ件の場合のブロック構成が示されている。
【００２１】
決定部２４は、未印字データを所定の印字内容で印字する際に必要な印字行数を決定する。ここで、所定の印字内容とは、例えば、取引種別ごとに取引金額の合計値を印字する印字内容、及び最も多い取引種別を印字する印字内容である。取引種別ごとに取引金額の合計値を印字する印字内容で印字する際に必要な印字行数（以下、第１の行数とも言う）としては、例えば、未印字データの取引が「預入、払戻、振込、払戻、振込」の場合、３種類の取引種別、すなわち「預入」、「払戻」、「振込」があるため、それぞれの取引金額の合計値を印字する際に必要な印字行数は３行となる。また、最も多い取引種別を印字する印字内容で印字する際に必要な印字行数（以下、第２の行数とも言う）としては、例えば、未印字データの取引が「預入、払戻、振込、払戻、振込、払戻」の場合、最も多い取引種別は「払戻」であり、「払戻」は３件あるため、必要な印字行数は３行となる。
【００２２】
表示制御部２５は、未印字データの件数が残行数に収まらないと判断部２３によって判断された場合、残行数と決定部２４によって決定された印字行数の比較結果に応じた未印字データのまとめ印字方法を表示部（ディスプレイなど）に表示する。具体的には、以下のような処理によってまとめ印字方法を表示部に表示する。
【００２３】
表示制御部２５は、決定部２４によって決定された第１の行数が残行数より少ないか否かを判断するとともに、決定部２４によって決定された第２の行数が残行数より少ないか否かを判断する。
【００２４】
表示制御部２５は、残行数が第１の行数以上であり、かつ第２の行数以上である場合、以下のまとめ印字方法を表示部に表示する。まとめ印字方法としては４つあり、１つ目は、取引ごとだけの印字とするもので、各取引の数値は合計してしまうもの、２つ目は、ユーザが選択した取引のみ印字するもので、選択されなかった取引は印字しないとするもの、３つ目は、取引種別に関係なく、最新の印字データから遡って印字できるだけ印字するもの、４つ目は、最新の印字データを１行のみ印字するものである。表示された上記４つのまとめ印字方法からユーザに選択させる。なお、まとめ印字方法をユーザが選択しない場合には、従来から行われているようにすべての未印字データを印字する。この場合、通帳の繰越処理が必要となる。
【００２５】
上記４つのまとめ印字方法が表示部に表示された表示画面（まとめ印字方法選択画面）例を図４Ａに示す。上記１つ目のまとめ印字方法は印字方法４１に相当し、上記２つ目のまとめ印字方法は印字方法４２に相当し、上記３つ目のまとめ印字方法は印字方法４３に相当し、上記４つ目のまとめ印字方法は印字方法４４に相当する。
【００２６】
また、表示制御部２５は、残行数が第１の行数以上であり、かつ第２の行数未満である場合、上記４つのまとめ印字方法のうち、２つ目のまとめ印字方法を除く３つのまとめ印字方法を表示部に表示する。また、残行数が第１の行数未満であり、かつ第２の行数以上である場合、上記４つのまとめ印字方法のうち、１つ目のまとめ印字方法を除く３つのまとめ印字方法を表示部に表示する。また、残行数が第１の行数未満であり、かつ第２の行数未満である場合、上記４つのまとめ印字方法のうち、１つ目と２つ目のまとめ印字方法を除く２つのまとめ印字方法を表示部に表示する。
【００２７】
また、表示制御部２５は、上記まとめ印字方法を表示部に表示し、ユーザによる選択を受け付けると、選択されたまとめ印字方法のまとめ印字イメージ表示画面を表示部に表示する。まとめ印字イメージ表示画面の一例を図４Ｂ〜図４Ｅに示す。図４Ｂは、上記１つ目のまとめ印字方法が選択された場合のまとめ印字イメージ表示画面である。図４Ｃは、上記２つ目のまとめ印字方法が選択された場合のまとめ印字イメージ表示画面である。図４Ｄは、上記３つ目のまとめ印字方法が選択された場合のまとめ印字イメージ表示画面である。図４Ｅは、上記４つ目のまとめ印字方法が選択された場合のまとめ印字イメージ表示画面である。
【００２８】
なお、まとめ印字であることが判別できるように、「まとめ」などの文言とともに印字するようにしてもよい。また、いずれのまとめ印字イメージ表示画面においても訂正ボタンと確認ボタンが表示されている。訂正ボタンが押下されると、再度、まとめ印字方法を表示させ、確認ボタンが押下されると、選択されたまとめ印字方法によって印字部２６がまとめ印字を行う。
【００２９】
印字部２６は、通帳へ印字を行うものであり、上述したまとめ印字を行うだけでなく、従来から行われているすべての未印字データの印字を行う。
【００３０】
格納部２７は、例えば、ＡＴＭ２がまとめ印字処理を行うためのプログラムなどが格納されている。
【００３１】
次に、実施の形態に係るＡＴＭを実現するためのハードウェア構成の一例について図５を用いて説明する。ハードウェア構成は、例えば、ＣＰＵ（Ｃｅｎｔｒａｌ Ｐｒｏｃｅｓｓｉｎｇ Ｕｎｉｔ）５１、ＨＤＤ（Ｈａｒｄ Ｄｉｓｋ Ｄｒｉｖｅ）５２、ＲＯＭ（Ｒｅａｄ Ｏｎｌｙ Ｍｅｍｏｒｙ）５３、ＲＡＭ（Ｒａｎｄｏｍ Ａｃｃｅｓｓ Ｍｅｍｏｒｙ）５４、入力装置５５、出力装置５６、印字装置５７、通信インタフェース（Ｉ／Ｆ）５８、バス５９を備えている。ＣＰＵ５１、ＨＤＤ５２、ＲＯＭ５３、ＲＡＭ５４、入力装置５５、出力装置５６、印字装置５７、通信インタフェース（Ｉ／Ｆ）５８は、例えば、バス５９を介して互いに接続されている。
【００３２】
ＣＰＵ５１は、バス５９を介して、ＨＤＤ５２などに格納されるＡＴＭ２の各種処理を行うためのプログラムを読み込み、読み込んだプログラムをＲＡＭ５４に一時的に格納し、そのプログラムにしたがって各種処理を行うものであり、主として上述した算出部２１、判断部２３、決定部２４、表示制御部２５として機能する。
【００３３】
ＨＤＤ５２には、ＡＴＭ２の各種処理を行うためのアプリケーションプログラムや、ＡＴＭ２の処理に必要なデータなどが格納され、主として上述した格納部２７として機能する。
【００３４】
ＲＯＭ５３は、不揮発性メモリであって、ブートプログラムやＢＩＯＳ（ＢａｓｉｃＩｎｐｕｔ／Ｏｕｔｐｕｔ Ｓｙｓｔｅｍ）などのプログラムを記憶する。
【００３５】
ＲＡＭ５４には、揮発性メモリであって、ＣＰＵ５１に実行させるためのＯＳ（Ｏｐｅｒａｔｉｎｇ Ｓｙｓｔｅｍ）プログラムやアプリケーションプログラムの一部が一時的に格納される。また、ＲＡＭ５４には、ＣＰＵ５１による処理に必要な各種データが格納される。
【００３６】
入力装置５５は、ユーザによるまとめ印字方法の選択などの際に入力を受け付けるタッチパネルである。
【００３７】
出力装置５６は、まとめ印字方法やまとめ印字イメージを表示するディスプレイなどである。
【００３８】
印字装置５７は、通帳へ未印字データを出力する印字ユニットなどであり、主として上述した印字部２６として機能する。
【００３９】
通信インタフェース（Ｉ／Ｆ）５８は、ホストコンピュータ３とデータの送受信を行うものであり、主として上述した印字データ要求部２２として機能する。
バス５９は、各装置間の制御信号、データ信号などの授受を媒介する経路である。
【００４０】
次に、実施の形態における自動取引システムの処理シーケンスの一例について図６を用いて説明する。まず、ユーザ（エンドユーザ）が、通帳に記帳する通帳記入取引を選択し（ステップＳ６０１）、不図示の通帳挿入部に通帳を挿入する（ステップＳ６０２）と、ＡＴＭ２は、挿入された通帳を上述した所定の位置まで吸入する（ステップＳ６０３）。ＡＴＭ２は、所定の位置まで吸入された通帳のＭＳに記録された情報（ＭＳ情報）を読み取り（ステップＳ６０４）、通帳の残行数を算出する（ステップＳ６０５）。ＡＴＭ２は、ホストコンピュータ３に対して、未印字データの送信要求（通帳記入要求電文）を送信する（ステップＳ６０６）。
【００４１】
ホストコンピュータ３は、ＡＴＭ２から通帳記入要求電文を受信すると、応答（未印字データを含む通帳記入応答電文）をＡＴＭ２へ送信する（ステップＳ６０７）。なお、ホストコンピュータ３における送信した未印字データの削除のタイミングについては、例えば、一定時間の経過後に削除したり、バックアップをとってから削除したりするものであるが、これらに限られるものではない。
【００４２】
ＡＴＭ２は、ホストコンピュータ３から応答を受信すると、未印字データの件数をチェックし、未印字データを上述した所定の印字内容で印字する際に必要な印字行数（まとめ印字必要行数）を決定する（ステップＳ６０８）。ＡＴＭ２は、通帳の残行数と未印字データの件数を比較し、通帳の残行数が未印字データの件数より少ないか否かを判断する（ステップＳ６０９）。少ない場合と判断された場合（ステップＳ６０９でＹｅｓ）、ＡＴＭ２は、まとめ印字方法をユーザに選択させるためのまとめ印字方法選択画面の表示を行う（ステップＳ６１０）。
【００４３】
ユーザが、表示されたまとめ印字方法選択画面からまとめ印字方法を選択する（ステップＳ６１１）と、ＡＴＭ２は、まとめ印字イメージ表示画面を表示する（ステップＳ６１２）。ユーザが、表示されたまとめ印字イメージ表示画面を確認して上述した確認ボタンを押下する（ステップＳ６１３）と、ＡＴＭ２は、選択されたまとめ印字方法で印字を実施する（ステップＳ６１４）。ＡＴＭ２は、印字が終了すると、通帳のＭＳ情報の更新を行い、次回、通帳の残行数が算出できるように情報を記録し（ステップＳ６１５）、ユーザへ返却するために通帳を通帳挿入部へ搬送し（ステップＳ６１６）、ユーザが通帳を受け取る（ステップＳ６１７）。なお、ステップＳ６０９において、通帳の残行数が未印字データの件数以上である場合（ステップＳ６０９でＮｏ）、まとめ印字を行わず、通常の印字（すべての未印字データの印字）を実施する（ステップＳ６１８）。なお、ステップＳ６１０において、まとめ印字方法選択画面の表示を行い、ユーザによる選択がなかった場合、ＡＴＭ２は、後述する図７のステップＳ７１６の処理を行う。
【００４４】
次に、実施の形態に係るＡＴＭのまとめ印字の処理フローの一例について図７を用いて説明する。印字データ要求部２２が、未印字データを含む通帳記入応答電文をホストコンピュータ３から受信する（ステップＳ７０１）と、判断部２３が、未印字データの件数を抽出し（ステップＳ７０２）、通帳の残行数が未印字データの件数より少ないか否かを判断する（ステップＳ７０３）。なお、判断部２３は、上記判断を行うとともに、まとめ印字を希望する（まとめ印字方法の表示を希望する）か否かをユーザに確認するようにしてもよい。これにより、まとめ印字を希望しない場合には、まとめ印字が行われず、通常の通帳印字が行われる。
【００４５】
判断部２３が、通帳の残行数が未印字データの件数より少ないと判断した場合（ステップＳ７０３でＹｅｓ）、決定部２４が、未印字データブロック解析、すなわち、上述した第１の行数及び第２の行数を算出する（ステップＳ７０４）。
【００４６】
表示制御部２５が、第１の行数が通帳の残行数より少ないか否かを判断し（ステップＳ７０５）、少ないと判断された場合（ステップＳ７０５でＹｅｓ）、取引種別ごとの合計印字選択項目を有効とする（ステップＳ７０６）。取引種別ごとの合計印字選択項目を有効にするということは、図４Ｂに示す取引ごとの合計印字が可能であるということである。ステップＳ７０５において、少ないと判断されない場合（ステップＳ７０５でＮｏ）、ステップＳ７０７へ進む。
【００４７】
また、表示制御部２５が、第２の行数が通帳の残行数より少ないか否かを判断し（ステップＳ７０７）、少ないと判断された場合（ステップＳ７０７でＹｅｓ）、選択された取引別印字の選択項目を有効とする（ステップＳ７０８）。選択された取引別印字の選択項目を有効にするということは、図４Ｃに示す選択された取引のみ抽出して印字することが可能であるということである。ステップＳ７０７において、少ないと判断されない場合（ステップＳ７０７でＮｏ）、ステップＳ７０９へ進む。
【００４８】
表示制御部２５は、通帳の残行数と第１の行数の比較結果と、通帳の残行数と第２の行数の比較結果に応じて、まとめ印字方法選択画面の表示（上記判定の有効項目と一律表示項目の表示）を行う（ステップＳ７０９）。ここで、一律表示項目とは、上述した図４Ａに示す印字方法４３、４４の項目を言う。
【００４９】
表示制御部２５は、表示したまとめ印字方法選択画面のうち、いずれかのまとめ印字方法が選択されたか否かを判断し（ステップＳ７１０）、選択された場合（ステップＳ７１０でＹｅｓ）、選択されたまとめ印字方法のまとめ印字イメージ表示画面を表示する（ステップＳ７１１）。表示制御部２５は、確認ボタンが押下されたか否かを判断し（ステップＳ７１２）、押下された場合（ステップＳ７１２でＹｅｓ）、印字部２６は、選択されたまとめ印字を実施する（ステップＳ７１３）。確認ボタンが押下されない場合（ステップＳ７１２でＮｏ）、表示制御部２５は、再度、まとめ印字方法選択画面を表示する。印字が終了すると、通帳のＭＳ情報の更新が不図示の更新部などによって行われ（ステップＳ７１４）、ユーザへ返却するために通帳が通帳挿入部へ搬送される（ステップＳ７１５）。
【００５０】
一方、ステップＳ７１０において、いずれかのまとめ印字方法が選択されない場合（ステップＳ７１０でＮｏ）、印字部２６は、残行数分の未印字データを印字する（ステップＳ７１６）。ＡＴＭ２に通帳の繰越機能があるか否かを判断し（ステップＳ７１７）、繰越機能がある場合（ステップＳ７１７でＹｅｓ）、通帳繰越が行われ（ステップＳ７１８）、残りの未印字データは印字される（ステップＳ７１９）。ステップＳ７１７において、通帳繰越機能がない場合（ステップＳ７１７でＮｏ）、表示制御部２５は、窓口での通帳繰越を促す窓口誘導の表示を行う（ステップＳ７２０）。
【００５１】
また、ステップＳ７０３において、通帳の残行数が未印字データの件数以上であると判断された場合（ステップＳ７０３でＮｏ）、印字部２６は、まとめ印字を行わずに、通常の通帳印字を実施する（ステップＳ７２１）。
【００５２】
なお、まとめ印字を実施したユーザに対して、例えば、１回分の送金手数料を無料にするなどの特典を付与するようにしてもよい。
【００５３】
また、通帳のＭＳ情報の一部に、まとめ印字設定エリアを設け、通帳発行時に、まとめ印字機能を有効とする（まとめ印字を希望する）か否かをユーザに選択させ、選択結果をまとめ印字設定エリアに記録するようにしてもよい。このような構成により、ＡＴＭ２は、まとめ印字を希望するか否かをユーザに確認することなく、まとめ印字を実施するか否かを判断することができる。まとめ印字機能を無効とする、すなわち、まとめ印字を希望しない場合には通常の通帳印字を行うことになる。具体的には、判断部２３が、通帳のＭＳ（印字設定エリア）に、未印字データの印字方法の表示を希望する旨の情報（まとめ印字機能を有効とする情報）が記録されているか否かを判断し、記録されている場合に、表示制御部２５によって未印字データのまとめ印字方法が表示部に表示される。
【００５４】
更に、通帳のＭＳ情報の一部に、まとめ印字機能を有効とするか否かの情報だけでなく、上述した４つのまとめ印字方法のうち、いずれのまとめ印字方法で印字することを希望するかを示す情報が含まれるようにしてもよい。例えば、判断部２３が、ＭＳ情報に、いずれのまとめ印字方法で印字を希望するかを示す情報が含まれていると判断すると、表示制御部２５は、まとめ印字方法選択画面の表示をすることなく、希望するまとめ印字方法でのまとめ印字イメージ表示画面の表示をする。これにより、まとめ印字方法選択画面の表示の処理を削減することができる。
【００５５】
上述したようなＡＴＭによれば、新規通帳の発行による経費を削減でき、更に新規通帳の発行手続きによる負担を削減できる。
【００５６】
なお、上述した各実施の形態では、ＡＴＭの主な処理をＣＰＵによるソフトウェア処理によって実行するものとして説明したが、この処理の全部又は一部をハードウェアによって実現するようにしてもよい。
【００５７】
また、上述した実施の形態は、上述したものに限定されるものではなく、実施の形態の要旨を逸脱しない範囲において種々の変更を加えることができる。
【符号の説明】
【００５８】
１  自動取引システム
２（２ａ、２ｂ、２ｃ）  ＡＴＭ
３  ホストコンピュータ
４  ネットワーク
２０  通帳受付部
２１  算出部
２２  印字データ要求部
２３  判断部
２４  決定部
２５  表示制御部
２６  印字部
２７  格納部
５１  ＣＰＵ
５２  ＨＤＤ
５３  ＲＯＭ
５４  ＲＡＭ
５５  入力装置
５６  出力装置
５７  印字装置
５８  通信インタフェース（Ｉ／Ｆ）
５９  バス
【図１】
0006433882.tif 000002
【図２】
0006433882.tif 000003
【図３Ａ】
0006433882.tif 000004
【図３Ｂ】
0006433882.tif 000005
【図３Ｃ】
0006433882.tif 000006
【図４Ａ】
0006433882.tif 000007
【図４Ｂ】
0006433882.tif 000008
【図４Ｃ】
0006433882.tif 000009
【図４Ｄ】
0006433882.tif 000010
【図４Ｅ】
0006433882.tif 000011
【図５】
0006433882.tif 000012
【図６】
0006433882.tif 000013
【図７】
0006433882.tif 000014